(57)【要約】【課題】支持脚の上部をカット部分とし、支持脚の高さ調整を容易にするとともに見栄えを良くし、且つ斜めにカットしてしまっても玄関収納庫をしっかりと支持することのできる、新しい玄関収納庫の支持脚構造を提供する。【解決手段】支持脚の上部をカット部分とし、当該上部カット部分に倒れ防止キャップを被着して玄関収納庫側からビス止めする。【選択図】  図１
2004201713.tif 000002
【特許請求の範囲】
【請求項１】
支持脚の上部がカット部分とされ、当該上部カット部分に倒れ防止キャップが被着されて玄関収納庫側からビス止めされることを特徴とする玄関収納庫の支持脚構造。
【請求項２】
倒れ防止キャップがビス貫通孔を有しており、固定ビスが玄関収納庫の底板からビス貫通孔を貫通して支持脚の上部カット部分に螺合されることを特徴とする請求項１記載の玄関収納庫の支持脚構造。
【請求項３】
支持脚が中空体であり、その中空部分に倒れ防止キャップが嵌入されることを特徴とする請求項１記載の玄関収納庫の支持脚構造。
【請求項４】
倒れ防止キャップが、支持脚立設時に玄関収納庫の底板に接触する上方突起を有していることを特徴とする請求項１記載の玄関収納庫の支持脚構造。
【請求項５】
支持脚の下部にアジャスタが螺合されることを特徴とする請求項１記載の玄関収納庫の支持脚構造。
【発明の詳細な説明】
【０００１】
【発明の属する技術分野】
この出願の発明は、玄関収納庫の支持脚構造に関するものである。さらに詳しくは、この出願の発明は、玄関床と土間とに跨って据付される玄関収納庫などに有用な、支持脚の高さ調整を容易にするとともに見栄えを良くし、且つ玄関収納庫をしっかりと支持できる、新しい玄関収納庫の支持脚構造に関するものである。
【０００２】
【従来の技術】
従来、玄関に設置される玄関収納庫は、たとえば図５に例示したように玄関床と土間とに跨って据付されることがしばしばあり、この場合土間部分には支持脚（ア）が設けられるが（たとえば特許文献１参照）、現場によって玄関床（イ）および土間面（ウ）の高さが異なるため、一般には支持脚（ア）の下部を現場にて切断することで対応している。
【０００３】
【特許文献１】
特開２００１−１４９１４８号公報
【０００４】
【発明が解決しようとする課題】
しかしながら、支持脚（ア）の下部をカット部分とすると、カット部分が露見して見栄えが悪く、また万が一斜めにカットしてしまうと隙間が露見してより見栄えが悪くなるといった不都合が考えられる。
【０００５】
支持脚（ア）の上部をカット部分とすることも考慮できるが、下部の場合よりもカット部分が露見し難いものの、斜めにカットしてしまうと、図６（ａ）に例示したように支持脚（ア）の土間面（ウ）に対する垂直が確保できなかったり、図６（ｂ）に例示したように支持脚（ア）を土間面（ウ）に垂直立設できたとしてもカット面が玄関収納庫（オ）の底板（エ）に当接しなかったりして、しっかりとした支持が得られない恐れがある。
【０００６】
そこで、この出願の発明は、以上のとおりの事情に鑑み、支持脚の上部をカット部分とした場合において、支持脚の高さ調整を容易にするとともに見栄えを良くし、且つ斜めにカットしてしまっても玄関収納庫をしっかりと支持することのできる、新しい玄関収納庫の支持脚構造を提供することを課題としている。
【０００７】
【課題を解決するための手段】
この出願の発明は、上記の課題を解決するものとして、第１には、支持脚の上部がカット部分とされ、当該上部カット部分に倒れ防止キャップが被着されて玄関収納庫側からビス止めされることを特徴とする玄関収納庫の支持脚構造を提供する。
【０００８】
また、第２には、前記倒れ防止キャップがビス貫通孔を有しており、固定ビスが玄関収納庫の底板から倒れ防止キャップのビス貫通孔を貫通して前記支持脚の前記上部カット部分に螺合されることを特徴とする玄関収納庫の支持脚構造、第３には、前記支持脚が中空体であり、その中空部に前記倒れ防止キャップが嵌入されることを特徴とする玄関収納庫の支持脚構造、第４には、前記倒れ防止キャップが、支持脚立設時に玄関収納庫の底板に接触する上方突起を有していることを特徴とする玄関収納庫の支持脚構造、第５には、前記支持脚の下部にアジャスタが螺合されることを特徴とする玄関収納庫の支持脚構造を提供する。
【０００９】
【発明の実施の形態】
［第１の実施形態］
図１および図２は、各々、この出願の発明の一実施形態を示したものである。
【００１０】
本実施形態では、木製円柱状の支持脚（３）の上部がカット部分（３１）とされており（以下、（３１）を上部カット部分と呼ぶ）、この上部カット部分（３１）に倒れ防止キャップ（４）が被着され、玄関収納庫の底板（２）側からビス止めされている。
【００１１】
より具体的には、倒れ防止キャップ（４）は、下方に開口した凹型のものであり、その開口部（４１）を支持脚（３）の上部カット部分（３１）に嵌め込むようにして取り付ける。このとき当然、倒れ防止キャップ（４）の側壁部（４２）と支持脚（３）の側面（３２）とが当接しながら嵌め込まれるので、倒れ防止キャップ（４）は支持脚（３）に対して真っ直ぐに装着されて、その上面（４３）は水平をキープすることになる（以下、（４３）を水平上面と呼ぶ）。
【００１２】
これにより、仮に高さ調整時に支持脚（３）の上部カット部分（３１）が斜めにカットされてしまっても、その上部カット部分（３１）に真っ直ぐに装着された倒れ防止キャップ（４）の水平上面（４３）と玄関収納庫の底板（２）下面とがぴったりと当接し、支持脚（３）の垂直立設が可能になるとともに玄関収納庫のしっかりとした確実な支持が実現されることとなる。もちろん、上部カット部分（３１）は露見しないので、見栄えも良くなる。
【００１３】
また、本実施形態では、倒れ防止キャップ（４）がビス貫通孔（４４）を有しており、倒れ防止キャップ（４）を装着した支持脚（３）を土間面（１）と玄関収納庫の底板（２）との間に立設させた状態で、固定ビス（５）を底板（２）およびビス貫通孔（４４）を貫通させて支持脚（３）の上部カット部分（３１）に螺合させることで、支持脚（３）と底板（２）とをビス固定することができる。ことのき、ビス貫通孔（４４）がビス案内となるので、楽に作業を行えるようになる。
【００１４】
またさらに、本実施形態では、支持脚（３）の下部にアジャスタ（６）が螺合されており、支持脚（３）の垂直立設をより一層しっかりと維持でき、また支持脚（３）と玄関収納庫の底板（２）とのビス固定後にも高さ微調整を可能ならしめている。
【００１５】
［第２の実施形態］
図３および図４は、各々、この出願の発明の別の一実施形態を示したものである。
【００１６】
本実施形態では、支持脚（３）が中空体となっており、その中空部分に倒れ防止キャップ（４）が嵌入されている。
【００１７】
より具体的には、支持脚（３）は、その中空内部にて長手方向略全長に渡った中央空洞部（３３）とその周りの三つの周囲空洞部（３４）とを有しており、中央空洞部（３３）の上方部分が固定ビス（５）が螺合されるビス孔（３３１）として機能し、三つの周囲空洞部（３４）の上方部分が倒れ防止キャップ（４）嵌入用の嵌入孔（３４１）として機能する。この支持脚（３）は、中空形成や強度などを考慮してアルミ製とすることが好ましい。
【００１８】
一方、倒れ防止キャップ（４）は、その開口部（４１）内にて中央にビス貫通孔（４４）を有し、その周りから垂下した三つの嵌入片（４５）を有している。
【００１９】
そして、倒れ防止キャップ（４）の支持脚（３）への装着時には、各嵌入片（４５）を各嵌入孔（３４１）に嵌入させながら開口部（４１）を上部カット部分（３１）に嵌め込むようにする。このときも当然、倒れ防止キャップ（４）の側壁部（４２）および嵌入片（４５）と支持脚（３）の側面（３２）および嵌入孔（３４１）とが互いに嵌り合うので、倒れ防止キャップ（４）は支持脚（３）に対して真っ直ぐに装着され、その水平上面（４３）の水平状態が維持される。
【００２０】
これにより、よりしっかりとした支持脚（３）の垂直立設、および垂直立設された支持脚（３）による玄関収納庫の支持が実現される。
【００２１】
また、本実施形態では、倒れ防止キャップ（４）の上面に複数の上方突起（４６）が適宜位置に設けられ、より具体的には二つの上方突起（４６）がビス貫通孔（４４）を挟んで設けられ、支持脚（３）の立設時にこれら上方突起（４６）が玄関収納庫の底板（２）に接触するようにもなっている。
【００２２】
これによれば、上方突起（４６）が底板（２）に引っ掛かって回転防止ツメとして機能するので、支持脚（３）の回転を抑制し、支持脚（３）のグラツキを少なくすることができる。
【００２３】
もちろん、この出願の発明は以上の実施形態に限定されるものではなく、細部については様々な態様が可能である。
【００２４】
【発明の効果】
以上詳しく説明したとおり、この出願の発明によって、支持脚の上部をカット部分とし、支持脚の高さ調整を容易にするとともに見栄えを良くし、且つ斜めにカットしてしまっても支持脚の垂直立設を可能ならしめるとともに玄関収納庫をしっかりと支持することのできる、新しい玄関収納庫の支持脚構造が提供される。
【図面の簡単な説明】
【図１】この出願の発明の一実施形態を示したものである断面図である。
【図２】この出願の発明の一実施形態を示した斜視図である。
【図３】この出願の発明の別の一実施形態を示した断面図である。
【図４】この出願の発明の別の一実施形態を示した斜視図である。
【図５】従来の玄関収納庫を例示した構成図である。
【図６】（ａ）（ｂ）は、従来の玄関収納庫の支持脚構造を例示した模式図である。
【符号の説明】
１  土間面
２  底板
３  支持脚
３１  上部カット部分
３２  側面
３３  中央空洞部
３３１  ビス孔
３４  周囲空洞部
３４１  嵌入孔
４  倒れ防止キャップ
４１  開口部
４２  側壁部
４３  水平上面
４４  ビス貫通孔
４５  嵌入片
４６  上方突起
５  固定ビス
６  アジャスタ
【図１】
2004201713.tif 000003
【図２】
2004201713.tif 000004
【図３】
2004201713.tif 000005
【図４】
2004201713.tif 000006
【図５】
2004201713.tif 000007
【図６】
2004201713.tif 000008